(57)【要約】【課題】ハウジング内に配索されるコードを部品を追加することなく簡単な構成で支持することができる車両用灯具のコード支持構造を提供すること。【解決手段】ハウジング２の背面に形成された開口部２Ａを着脱可能なカバー１３で覆うとともに、ハウジング２内に給電用のコード２６，２７を配索して成る車両用灯具の前記コード２６，２７の支持構造として、前記ハウジング２の開口部２Ａ周縁にＬ字状のフック２ｂを一体に形成し、該フック２ｂに前記コード２６，２７を挿通支持するとともに、該コード２６，２７を前記カバー１３に突設されたリブ１３ａを対向させル構成を採用する。【選択図】図５
2013152906.tif 000002
【特許請求の範囲】
【請求項１】
ハウジングの背面に形成された開口部を着脱可能なカバーで覆うとともに、ハウジング内に給電用のコードを配索して成る車両用灯具の前記コードの支持構造であって、
前記ハウジングの開口部周縁にＬ字状のフックを一体に形成し、該フックに前記コードを挿通支持するとともに、該コードを前記カバーに突設されたリブを対向させたことを特徴とする車両用灯具のコード支持構造。
【発明の詳細な説明】
【技術分野】
【０００１】
本発明は、車両用灯具のハウジングの内部に配索されるコードの支持構造に関するものである。
【背景技術】
【０００２】
ヘッドランプ等の車両用灯具の中には車体のデザイン等の関係から前後方向に長いものがあり、斯かる車両用灯具にあっては、ハウジング内に給電用のコードが配索される。
【０００３】
ところで、特許文献１には、ハウジングの背面に配索されるコードの支持構造として、ハウジングの背面に形成された凹部にコードを通し、凹部をレベリング等の回転固定部品によって覆うことによってコードを支持する構成が提案されている。
【０００４】
又、特許文献２には、ハウジングがバンパーと一体に構成される車両用灯具のハウジングの裏面閉塞部に防水壁と防水蓋を設け、これらの防水壁と防水蓋で光源バルブ側のハーネスコードを覆う構成が提案されている。
【先行技術文献】
【特許文献】
【０００５】
【特許文献１】特開２０１１−０８２０５１号公報
【特許文献２】特開２００１−２４３８１６号公報
【発明の概要】
【発明が解決しようとする課題】
【０００６】
車両前後方向に長いヘッドランプ等の車両用灯具においては、バッテリ電源から延びる電源コードをハウジング内に引き込んで点灯制御回路に接続し、該点灯制御回路から延びる給電用のコードをハウジング内で引き回して光源に接続する必要があるが、ハウジング内に配索されるコードの支持構造が問題となる。
【０００７】
本発明は上記事情に鑑みてなされたもので、その目的とする処は、ハウジング内に配索されるコードを部品を追加することなく簡単な構成で支持することができる車両用灯具のコード支持構造を提供することにある。
【課題を解決するための手段】
【０００８】
上記目的を達成するため、本発明は、ハウジングの背面に形成された開口部を着脱可能なカバーで覆うとともに、ハウジング内に給電用のコードを配索して成る車両用灯具の前記コードの支持構造であって、前記ハウジングの開口部周縁にＬ字状のフックを一体に形成し、該フックに前記コードを挿通支持するとともに、該コードを前記カバーに突設されたリブを対向させたことを特徴とする。
【発明の効果】
【０００９】
本発明によれば、車両用灯具のハウジングの開口部周縁に一体に形成されたＬ字状のフックにコードを通してこれを支持するようにしたため、ハウジング内に配索されるコードを部品を追加することなく簡単な構成で支持することができる。又、Ｌ字状のフックによって支持されたコードに、カバーに突設されたリブを対向させるようにしたため、フックによって支持されたコードのフックからの脱落が防がれる。
【図面の簡単な説明】
【００１０】
【図１】本発明に係るコード支持構造を備える車両用灯具の正面図である。
【図２】本発明に係るコード支持構造を備える車両用灯具の背面図である。
【図３】図２のＡ−Ａ線断面図である。
【図４】図２のＢ−Ｂ線断面図である。
【図５】図４のＣ部拡大詳細図である。
【図６】車両用灯具のカバーを取り外した状態の部分背面図である。
【発明を実施するための形態】
【００１１】
以下に本発明の実施の形態を添付図面に基づいて説明する。
【００１２】
図１は本発明に係るコード支持構造を備える車両用灯具の正面図、図２は同車両用灯具の背面図、図３は図２のＡ−Ａ線断面図、図４は図２のＢ−Ｂ線断面図、図５は図４のＣ部拡大詳細図、図６は車両用灯具のカバーを取り外した状態の部分背面図である。
【００１３】
本実施の形態に係る車両用灯具１は、車両前部の左右に配置される前後方向に長いフロントコンビネーションランプであって、図１に示すように、該フロントコンビネーションランプ１においては、図３に示すようにハウジング２とその前面開口部を覆う透明なアウタレンズ３によって画成された灯室４内に、図１に示すように２灯式のすれ違いビーム用ランプ５と、その上方に配されたポジションランプ６と、すれ違いビーム用ランプ５の下方の左右に設けられた走行ビーム用ランプ７及びターンシグナルランプ８を収容して構成されている。
【００１４】
上記すれ違いビーム用ランプ５は、光源としてＬＥＤを使用するプロジェクタ型のランプであって、左右一対のリフレクタとヒートシンク１０及び投影レンズ１１を備えており、図３に示すように、その背面中央部にはコネクタ１２が取り付けられている。
【００１５】
ところで、前記ハウジング２のすれ違いビーム用ランプ５が配置された高さ位置には、図６に示すように円孔状の開口部２Ａが形成されており、この開口部２Ａは着脱可能なカバー１３によって閉塞されている。ここで、図２に示すように、カバー１３は、その３箇所がナット１４によってハウジング２の背面に取り付けられており、図５に示すように該カバー１３とハウジング２の開口部２Ａの周縁との間にはリング状のシール部材１５が介設されている。
【００１６】
そして、図３〜図５に示すように、カバー１３の内面には点灯制御回路１６が取り付けられており、この点灯制御回路１６には図３に示すようにコネクタ１７が取り付けられている。
【００１７】
而して、図２に示すように、ハウジング２の背面には、不図示のバッテリ電源から延びる図示の電源コードの端部が取り付けられるコネクタ１８が設けられており、このコネクタ１８からは給電用のコード１９，２０，２１が延びている。そして、コード１９の端部はコネクタ２２によって前記走行ビーム用ランプ７に接続され、コード２０はコネクタ２３によって前記ターンシグナルランプ８に接続されている。又、コード２１は、図３に示すようにハウジング２の側部に形成された孔２ａに嵌め込まれたグロメット２４を通ってハウジング２内へと引き込まれており、このコード２１には、図６に示すように２本のコード２５，２６が含まれており、一方のコード２５は、Ｕ字状に折り曲げられて前記点灯制御回路１６に取り付けられた前記コネクタ１７に接続され、他方のコード２６は、ハウジング２の開口部２Ａの内周に沿って配索された後に横Ｕ字状に折り曲げられて前記ポジションランプ６（図１参照）に接続されている。
【００１８】
そして、コネクタ１７からはコード２７が延びており、このコード２７は、図６に示すようにハウジング２の開口部２Ａの内周に沿って配索された後に折り曲げられ、図３に示すように前記すれ違いビーム用ランプ５へと延びており、その端部に結着されたコネクタ２８をすれ違いビーム用ランプ５に取り付けられた前記コネクタ１２に差し込むことによってすれ違いビーム用ランプ５に接続されている。
【００１９】
ところで、本実施の形態においては、図４〜図６に示すようにハウジング２の開口部２Ａ周縁の相対向する２箇所にはＬ字状のフック２ｂと抜け止め用のリブ２ｃが一体に形成されている。ここで、各フック２ｂは後方（図５の右方）に向かって開口しており、コード２６，２７は、これらのフック２ｂにそれぞれ通されて支持されるとともに、各リブ２ｃによって係止されてそれぞれ抜け止めが図られている。
【００２０】
又、図４及び図５に示すように、カバー１３の内端部にはハウジング２の開口部２Ａの内周に嵌め込まれる円筒状のリブ１３ａが突設されており、カバー１３が図示のようにハウジング２に取り付けられて開口部２Ａを覆っている状態では、フック２ｂに挿通支持されたコード２６，２７は、カバー１３の内端部に突設された前記リブ１３ａに対向しており、このリブ１３ａによってフック２ｂからの脱落が防がれている。
【００２１】
以上のように、本実施の形態に係るフロントコンビネーションランプ１においては、ハウジング２の開口部２Ａの周縁に一体に形成されたＬ字状のフック２ｂにコード２６，２７を通してこれらを支持するようにしたため、ハウジング２内に配索されるコード２６，２７を部品を追加することなく簡単な構成で支持することができる。
【００２２】
又、Ｌ字状のフック２ｂによって支持されたコード２６，２７に、カバー１３に突設されたリブ１３ａを対向させるようにしたため、フック２ｂによって支持されたコード２６，２７のフック２ｂからの脱落がリブ１３ａによって防がれるという効果も得られる。
【００２３】
尚、以上は本発明をフロントコンビネーションランプに適用した形態について説明したが、本発明は、他の車両用灯具に対しても適用可能であることは勿論である。
【符号の説明】
【００２４】
１          フロントコンビネーションランプ（車両用灯具）
２          ハウジング
２Ａ        ハウジングの開口部
２ａ        ハウジングの孔
２ｂ        ハウジングのフック
２ｃ        ハウジングのリブ
３          アウタレンズ
４          灯室
５          すれ違いビーム用ランプ
６          ポジションランプ
７          走行ビーム用ランプ
８          ターンシグナルランプ
９          リフレクタ
１０        ヒートシンク
１１        投影レンズ
１２        コネクタ
１３        カバー
１３ａ      カバーのリブ
１４        ナット
１５        シール部材
１６        点灯制御回路
１７，１８  コネクタ
１９〜２１  コード
２２，２３  コネクタ
２４        グロメット
２５〜２７  コード
２８        コネクタ
【図１】
2013152906.tif 000003
【図２】
2013152906.tif 000004
【図３】
2013152906.tif 000005
【図４】
2013152906.tif 000006
【図５】
2013152906.tif 000007
【図６】
2013152906.tif 000008